(57)【要約】【課題】ブリリアントカットされる宝石の美的価値をさらに向上させる。【解決手段】クラウン角（α）が３２．８°以上３３．０°以下の範囲であるブリリアントカットされた宝石を提供する。【選択図】図１ａ
2012075900.tif 000002
【特許請求の範囲】
【請求項１】
クラウン角（α）が、３２．８°以上３３．０°以下の範囲であることを特徴とするブリリアントカットされた宝石。
【請求項２】
パビリオン角（β）が４１．７°以上４１．９°以下の範囲であることを特徴とする請求項１記載の宝石。
【請求項３】
宝石（１）は少なくとも大部分が立方晶ジルコニアであって、好ましくは、全部が立方晶ジルコニアであることを特徴とする請求項１または２記載の宝石。
【請求項４】
ガードル面（７）と、ガードル（４）側に点を有したパビリオン切り子面（８）との間の角度は４１．７°以上４１．９°以下の範囲であり、及び／又は前記ガードル面（７）と、前記ガードル（４）に辺で接するパビリオン切り子面（９）との間の角度は４２．８°以上４３．０°以下の範囲であることを特徴とする請求項１から３のいずれか一項に記載の宝石。
【請求項５】
ガードル面（７）と、テーブル（５）に辺で接するクラウン切り子面（１０）との間の角度は２０．２°以上２０．４°以下の範囲であり、及び／又は前記ガードル面（７）と、前記ガードル（４）に接する点を有したクラウン切り子面（１１）との間の角度は３２．８°以上３３．０°以下の範囲であり、及び／又は前記ガードル面（７）と、前記ガードル（４）に辺で接する前記クラウン切り子面（１２）との間の角度は３９．３°以上３９．５°以下の範囲であることを特徴とする請求項１から４のいずれか一項に記載の宝石。
【発明の詳細な説明】
【技術分野】
【０００１】
本願は、ブリリアントカットされた宝石に関する。
【背景技術】
【０００２】
切り子面がカットされた宝石（ファセットカットされた宝石）の輝度を増すために、長い時間をかけて様々な形態のカット（研磨方法）が開発されてきた。これらのカットは、一方においてはそれぞれの切り子面（小平面、ファセット）の数が異なっており、また他方においては切り子面の位置の幾何学的関係が異なっていた。
【０００３】
いわゆるブリリアントカットは、特にダイヤモンドにおいて、非常に美的なカットであると評価されてきた。なぜならこのカットはダイヤモンドの「ファイア」と呼ばれる分散光に大きく影響を与えるからである。このファイアは数多くの内部の光の反射に基づいてもたらされる。これら光反射は、特有のカットによって特徴付けられる特別な相対的角度の関係を有している個々の切り子面で発生する。結果として、宝石、特にダイヤモンドのカットは、発生するファイアにとって決定的な要素である。
【０００４】
特定のカットに依存しているところの、宝石の美的特徴の更なる諸要素には、動いている宝石の輝きを表しているシンチレーション（閃光）と、宝石から出射する光のコントラスト（明暗差）と明るさを表わしているブリリアンス（光輝）とがある。ブリリアントカットされたダイヤモンドは、一般的にブリリアントとも呼称される。
【０００５】
ブリリアントカットされている宝石は、少なくとも３２面の切り子面とテーブル面とを備えており上部とも称されるクラウンと、少なくとも２４面の切り子面を備えており底部とも称されるパビリオンと、を備えている。宝石のテーブル面と反対側の底端部は、キューレットと称される点もしくは丸められた（面取りされた）点の形状が形成される。宝石の上部と底部の間の部分には、いわゆるロンディステまたはガードルが存在する。この宝石は対称形状にカットされている。
【先行技術文献】
【非特許文献】
【０００６】
【非特許文献１】合衆国宝石鑑定協会「Ｇｅｍｓ  ＆  Ｇｅｍｏｌｏｇｙ（宝石及び宝石鑑定）」、２００４年秋号、２０２−２２８ページ
【発明の概要】
【発明が解決しようとする課題】
【０００７】
本発明は、ブリリアントカットされる宝石の美的な印象をさらに向上させることの問題に対処している。本発明は、例えば宝石の発光効率を増し、或いは輝度や明度を増加させることを目的とする。
【課題を解決するための手段】
【０００８】
これらの目的は「請求項１」の特徴によって達成される。
【０００９】
それについて、研究過程で、宝石に、クラウン角を３２．８°から３３°にしたブリリアントカットを施すと非常に高い発光効率が得られた。このカットによって優れた宝石の煌き（シンチレーション）およびブリリアンスが実現された。
【００１０】
クラウン角とは、宝石の側面図で示すクラウンの境界側線とガードル面との間に形成される角度のことである。この境界側線は宝石の縦軸を含んだ平面へのクラウン切り子面の直角投影である。
【００１１】
ガードル面とは、テーブルと平行に配置されており、宝石が最大断面寸法を有する平面のことである。ガードル面は宝石の縦方向に対して垂直に配向されている。
【００１２】
反射した光の割合に対応する宝石の発光効率または輝度を測定するため、照明構造物と、合衆国宝石鑑定協会（ＧＩＡ）が開発した測定仕様とを利用して測定が実施される。対応する測定仕様は非特許文献１の雑誌「Ｇｅｍｓ  ＆  Ｇｅｍｏｌｏｇｙ（宝石及び宝石鑑定）」（２００４年秋号、２０２〜２２８ページ、特に２１９ページ）に記載されている。ここでは宝石の光輝度の測定のための測定構造物が図示されている。実際の測定に代わり、測定を宝石の形状に基づいたコンピュータシミュレーションによって行うこともできる。シミュレーション測定によって、特に輝度及び／又は発光効率に関する宝石のいくつかの特徴的な光特有または放射線特有のパラメータ値が得られる。
【００１３】
基円部の中央に位置する宝石には、半球状の照明構造物から、宝石表面に対して垂直に方向付けられた放射線が照射される。この照明構造物は、宝石の側部切り子面も同様に照射するように十分に広角なランバートビームを発生させる。宝石から反射される光量は、ほぼ全ての可能な反射光の平均値を表すため、宝石の発光効率または光輝度の量的測定値が提供される。反射光量又は後方散乱光量の割合が高いほど、光効率と輝度は高く、高い特性の美的な認識によって達成される宝石の反射特性は良くなる。
【００１４】
反射光または後方散乱光の測定は、宝石の寸法に比して大きく離れて設置され、狭い測定域を備えた光電流検出器で行う。
【００１５】
本発明の別な好適実施態様は「従属請求項」に記してある。
【００１６】
１好適実施態様ではパビリオン角は４１．７°から４１．９°の範囲である。
【００１７】
パビリオン角とは、宝石の側面図が示すパビリオンの境界側線とガードル面との間に形成される角度のことである。この境界側線は宝石の縦軸を含んだ平面へのパビリオン切り子面の直角投影によって形成されるものである。
【００１８】
本発明による宝石は任意の天然宝石素材または合成宝石素材で製造できるが、本発明によってブリリアントカットされるガラス素材または合成素材で成る宝石でも同様に可能である。
【００１９】
少なくとも大部分であって、好ましくは全体が立方晶ジルコニア（キュービックジルコニア）を含んで製造されたブリリアントカットされた宝石であれば、３２．８°から３３°の間のクラウン角、及び／又は４１．７°から４１．９°の間のパビリオン角を有したものは特に発光効率が高いことが研究を通じて発見された。
【００２０】
パビリオンは、少なくとも２４面のパビリオン切り子面を有しており、それらはテーブルの反対側の端部に点またはキューレットの形態で結集する。一つの実施形態では８面のパビリオン切り子面がガードル側に位置する点を有し、１６面のパビリオン切り子面がガードルと境界を接する辺を有する。これらパビリオン切り子面の辺の反対側端部は点であり、ガードルから離れている。後者のパビリオン切り子面の直角投影はパビリオン角を形成する。
【００２１】
本発明の一つの実施形態においては、ガードル面と、ガードルに接した点、あるいはガードルから離れて位置する点を有したパビリオン切り子面との間の角度は４１．７°から４１．９°の範囲である。追加的または代替的には、ガードル面と、ガードルと境界を接する辺を有したパビリオン切り子面との間の角度は４２．８°から４３．０°の範囲である。
【００２２】
宝石のクラウンは、８面のクラウン切り子面とそれぞれ１本の辺で接するテーブルを含む。本発明の一つの実施形態では、これらクラウン切り子面はガードル平面と２０．２°から２０．４°の角度を形成する。
【００２３】
クラウンはさらに１６面のクラウン切り子面を含む。それらはガードルに接する１本の辺を有している。本発明の一つの実施形態ではこれらクラウン切り子面はガードル面と３９．３°から３９．５°の範囲の角度を形成する。
【００２４】
クラウンはさらに８面の別クラウン切り子面を有する。それぞれの切り子面はガードルと点で接する。本発明の一つの実施形態ではこれらクラウン切り子面とガードル面との間の角度は３２．８°から３３．０°の範囲である。後者のクラウン切り子面の直角投影はクラウン角を形成する。
【００２５】
本発明のさらなる詳細および利点は添付図面を利用した以下の詳細な説明において解説されている。
【図面の簡単な説明】
【００２６】
【図１ａ】図１ａは、本発明の宝石の側面図である。
【図１ｂ】図１ｂは、本発明の宝石の平面図である。
【図１ｃ】図１ｃは、本発明の宝石の底面図である。
【図２】図２はクラウン角とパビリオン角の定義を説明する概略図である。
【図３ａ】図３ａと図３ｂは光線の進路を示す概略図を利用した従来技術による宝石と本発明による宝石の対比図であって、図３ａは、従来のブリリアントカットされた宝石１’を示す。
【図３ｂ】図３ａと図３ｂは光線の進路を示す概略図を利用した従来技術による宝石と本発明による宝石の対比図であって、図３ｂは、本発明による宝石１を示す。
【図４】図４は、発光効率または光輝度を測定するための測定構造物を図示した概略図である。
【発明を実施するための形態】
【００２７】
図１ａは本発明による宝石の側面図である。ガードル４はクラウン２とパビリオン３とを分離する。ガードル４は宝石１の最大断面寸法の領域である。宝石の縦軸に対応する縦方向には宝石の対称軸が概略的に図示されている。
【００２８】
パビリオン３は２種類のパビリオン切り子面８と９を有する。ここでは１６面のパビリオン切り子面９はガードル４と接する辺を含む。反対側でパビリオン切り子面９はキューレット６に向かって１点に結集する。残りのパビリオン切り子面８はガードル４と接する点を含んでいる。
【００２９】
クラウン２は３２面の切り子面１０、１１および１２、並びにガードル面７と平行なテーブル５を含んでいる。
【００３０】
１６面のクラウン切り子面１２はガードル４と辺で接し、テーブル５の方向に１点を有する。８面のさらなるクラウン切り子面１０はテーブル５とそれぞれ１本の辺で接する。残りの８面のクラウン切り子面１１はそれぞれ全部で４点を有している。その中の１点はテーブル５と接し、他の点はガードル４と接する。
【００３１】
クラウン２の境界側線１６もまたクラウン切り子面１２の直角投影として形成され、パビリオン３の境界側線１７はパビリオン切り子面９の直角投影として形成される。
【００３２】
本発明の一実施例では、宝石１は立方晶ジルコニア製であり、境界側線１６とガードル面７との間で３２．９°のクラウン角αを有し、境界側線１７とガードル面７との間で４１．８°のパビリオン角βを有する。ガードル面７と、ガードル４に辺で接するクラウン切り子面１２との間の角度は３９．４°である。ガードル面７と、テーブル５と辺で接するクラウン切り子面１０との間の角度は２０．３°である。ガードル面７と残余クラウン切り子面１１との間の角度は３２．９°である。ガードル面７と、ガードル４と辺で接するパビリオン切り子面９との間の角度は４２．９°である。ガードル面７と残余パビリオン切り子面８との間の角度は４１．８°である。
【００３３】
図１ｂは宝石１のクラウン２を示す平面図である。テーブル５に概略的に図示されている直交座標は宝石１が対称形状であることを示している。
【００３４】
図１ｃは宝石１のパビリオン３を示す底面図である。互いに境界を接するパビリオン切り子面８が形成するキューレット６には別の直交座標が図示されており、宝石１の対称性を表している。
【００３５】
図２はクラウン角αとパビリオンβとを概略的に説明するものである。クラウン角はガードル面７とクラウン２の境界側線１６との間に形成され、パビリオン角βはパビリオン３の境界側線１７とガードル面７との間に形成される。
【００３６】
図３ａは従来のブリリアントカットされた宝石１’を図示する。宝石に入射する光線１３はパビリオン３’で部分的にのみ反射される。これは異なるパビリオン切り子面がカットされている角度による。特にクラウン角とパビリオン角による。光線の一部は屈折光線１４の形態でパビリオン３’から出射する。クラウン２’から出射する光線１５の量とクラウン２’に入射する光線１３の量の比が発光効率である。
【００３７】
図３ｂは図３ａと類似しているが本発明による宝石１を図示する。異なる切り子面の固有の幾何学形態およびクラウン角αとパビリオン角βの特性によって発光効率は大きく改善されている。すなわち大部分の光線がパビリオン３の領域内部で完全反射し、複数回の内部反射後にクラウン２に入射した光線１３のほぼ全体がクラウン２から出射した光線１５として宝石を眺める人物の眼に返ってくる。
【００３８】
図４は、前記の雑誌「Ｇｅｍｓ  ＆  Ｇｅｍｏｌｏｇｙ（宝石及び宝石鑑定）」の記事の測定仕様を利用した宝石の輝度または発光効率を測定する測定構造物の概略図である。半球形態の照明構造物１６の基円部の中央に位置する宝石１は、宝石１のクラウン２に白色散乱光が放射されるように光線１８で照射される。遮蔽領域１９を除いて光線ビームが宝石１に半球状に投射され、反射される。宝石１を収容する窪部を除いて基円部１７は遮蔽されており、基円部１７の下方からは宝石１には光は全く投射されない。宝石１の反対側の半球構造物１６の領域１９も遮蔽されており、４６°の領域角γを有している。この領域からは宝石１には光は一切届かない。領域１９は３°の開口角を有する開口部２０を含む。この開口部２０は検出器のための測定部として機能する。従って開口部２０の上方には光電流を測定する検出器が設置できる。その結果、光特有の特定値、例えば光輝度がコンピュータシミュレーションによってこの開口部２０の領域で計算できる。
【００３９】
宝石１から反射される光量は、ほぼ全ての可能な反射光の平均値であり、宝石１の発光効率または光輝度の量的測定値を提供する。何回も内部反射を繰り返した後ではあるが、宝石への最初の投射で光が開口部に直接的に反射して戻るように光は個々の切り子面で反射する。
【図１ａ】
2012075900.tif 000003
【図１ｂ】
2012075900.tif 000004
【図１ｃ】
2012075900.tif 000005
【図２】
2012075900.tif 000006
【図３ａ】
2012075900.tif 000007
【図３ｂ】
2012075900.tif 000008
【図４】
2012075900.tif 000009
【外国語明細書】
2012075900.tif 000010
2012075900.tif 000011
2012075900.tif 000012
2012075900.tif 000013
2012075900.tif 000014
2012075900.tif 000015
2012075900.tif 000016
2012075900.tif 000017
2012075900.tif 000018
2012075900.tif 000019
【図１ａ】
2012075900.tif 000020
【図１ｂ】
2012075900.tif 000021
【図１ｃ】
2012075900.tif 000022
【図２】
2012075900.tif 000023
【図３ａ】
2012075900.tif 000024
【図３ｂ】
2012075900.tif 000025
【図４】
2012075900.tif 000026